(57)【要約】【課題】グレーチングの強度を低下させることなくこれを排水溝に沿って連続して敷設したときの見栄えを良くする。【解決手段】グレーチング１０は、溝Ｄに沿って延びて溝Ｄの幅方向に互いに平行に所定間隔をおいて配置された複数のベアリングバー１１と、ベアリングバー１１の上面より下側で溝Ｄの幅方向に設けられてベアリングバー１１を連結する複数の連結バー１２と、ベアリングバー１１の溝Ｄに沿って延びる方向の両端部に設けられてベアリングバー１１の端部を連結するエンドプレート１３とを備え、ベアリングバーの溝Ｄに沿って延びる方向の両端部にはその上面より下側に切欠き部１１ｄが形成され、この切欠き部１１ｄにエンドプレート１３を当接させて溶接により固着した。【選択図】図１
2010180558.tif 000002
【特許請求の範囲】
【請求項１】
排水溝等の溝を覆うグレーチングであって、
前記溝に沿って延びて前記溝の幅方向に互いに平行に所定間隔をおいて配置された複数のベアリングバーと、
前記ベアリングバーの上面より下側で前記溝の幅方向に延びて前記ベアリングバーを連結する複数の連結バーと、
前記ベアリングバーの前記溝に沿って延びる方向の端部に設けられて前記ベアリングバーの前記端部を連結するエンドプレートとを備え、
前記ベアリングバーの前記端部にはその上面より下側に切欠き部が形成され、
前記切欠き部に前記エンドプレートを固定したことを特徴とするグレーチング。
【請求項２】
排水溝等の溝を覆うグレーチングであって、
前記溝に沿って延びて前記溝の幅方向に互いに平行に所定間隔をおいて配置された複数のベアリングバーと、
前記ベアリングバーの上面より下側で前記溝の幅方向に延びて前記ベアリングバーを連結する複数の連結バーと、
前記ベアリングバーの前記溝に沿って延びる方向の端部に設けられて前記ベアリングバーの前記端部を連結するエンドプレートとを備え、
前記ベアリングバーの前記端部には貫通孔が形成され、
前記貫通孔に前記エンドプレートを嵌挿して固定したことを特徴とするグレーチング。
【発明の詳細な説明】
【技術分野】
【０００１】
本発明は、排水溝等の溝を覆うグレーチングに関する。
【背景技術】
【０００２】
道路等には、雨水を排水するための排水溝が設けられており、この排水溝には、これを覆うグレーチングが設けられている。一般的に、グレーチングは、長方形をした枠内に排水溝の幅方向に延びる平鋼よりなる複数のベアリングバーを互いに平行に配置し、同枠内に排水溝に沿って延びる複数のクロスバーを互いに平行に配置して格子状に形成したものがある。近年、種々のグレーチングが開発されているが、図５に示すグレーチング２０は、屋外と屋内との間の排水溝Ｄ１に設けたときに屋内へ雨水が流入しないようにすることを目的としたものである。このグレーチング２０は、排水溝Ｄ１に沿って延びて排水溝Ｄ１の幅方向に互いに平行に所定間隔をおいて配置された複数のベアリングバー２１と、ベアリングバー２１の上面より下側で排水溝Ｄ１の幅方向に延びて複数のベアリングバー２１を連結する複数の連結バー２２と、ベアリングバー２１の排水溝Ｄ１に沿って延びる方向の両端に設けられてベアリングバー２１の端部を連結するエンドプレート２３とを備えている。このグレーチング２１を屋内と屋外との間の排水溝Ｄ１に敷設したときには、屋外で降った雨の大部分が排水溝Ｄ１の幅方向に所定間隔をおいて配置された複数のベアリングバー２１の間から排水溝Ｄ１に落下して屋内に雨水が流入するのを防いでいる。また、このグレーチング２０においては、連結バー２２をベアリングバー２１の上面より下側に設けているので、主としてベアリングバー２１の上面が排水溝Ｄ１に沿って途切れることなく延び、このベアリングバー２１によりすっきりとした美観を付与しているものである。
【発明の概要】
【発明が解決しようとする課題】
【０００３】
図５に示すグレーチング２０を排水溝Ｄ１に隙間なく連続して敷設したときには、各グレーチング２０のベアリングバー２１は両端部のエンドプレート２３により隣り合うグレーチング２０のベアリングバー２１と繋がらず、各グレーチング２０のベアリングバー２１が隣り合うベアリングバー２１と一直線に連続するように見えなくて見栄えが良くなかった。
【０００４】
このようなグレーチング２０はエンドプレート２３を設けないようにすれば、互いに隣り合うグレーチング２０の各ベアリングバー２１が繋がって連続するように見えるが、エンドプレート２３を設けないようにすると強度が低下して破損するおそれがあり、エンドプレート２３を設けないようにすることができなかった。また、連結バー２２の数を多くしたり、連結バー２２に強度の高い素材を用いることにより強度を高くしてエンドプレート２３を設けないようにすることも可能ではあるが、コストが高くなる問題があった。
【０００５】
さらに、このグレーチング２０を屋内と屋外との間の排水溝Ｄ１に敷設したときには、屋外で降った雨の大部分が排水溝Ｄ１の幅方向に所定間隔をおいて配置された複数のベアリングバー２１の間から排水溝Ｄ１に落下するが、屋外で降った雨の一部が排水溝Ｄ１に流入せずにエンドプレート２３の上面を流れて屋内に流入することがあった。本発明は、このような問題を解決することを目的とする。
【課題を解決するための手段】
【０００６】
本発明は上記課題を解決するため、排水溝等の溝を覆うグレーチングであって、溝に沿って延びて溝の幅方向に互いに平行に所定間隔をおいて配置された複数のベアリングバーと、ベアリングバーの上面より下側でこれと交差する方向に設けられてベアリングバーを連結する複数の連結バーと、ベアリングバーの溝に沿って延びる方向の端部に設けられてベアリングバーの端部を連結するエンドプレートとを備え、ベアリングバーの端部にはその上面より下側に切欠き部が形成され、切欠き部にエンドプレートを固定したことを特徴とするグレーチングを提供するものである。
【０００７】
上記のように構成したグレーチングにおいては、ベアリングバーの端部にはその上面より下側に切欠き部が形成され、切欠き部にエンドプレートを固定するようにしたので、このグレーチングを排水溝に沿って連続して敷設したときに、互いに隣り合うグレーチングの各ベアリングバーがエンドプレートにより途切れることなく繋がって連続するように見えるので、排水溝に連続して敷設したグレーチングはその強度を低下させることなくすっきりとして見えるようになって見栄えが良くなる。また、グレーチングにおいては、ベアリングバーの端部にはその上面より下側に切欠き部が形成され、切欠き部にエンドプレートを固定するようにしたので、グレーチングの上面には溝の幅方向に所定間隔をおいて配置された複数のベアリングバーだけとなるので、溝の幅方向の一方側から溝に水が流入するときにグレーチングの上面を流れて溝の幅方向の他方側に水が流入することがない。
【０００８】
また、本発明は他の実施形態においては、排水溝等の溝を覆うグレーチングであって、溝に沿って延びて溝の幅方向に互いに平行に所定間隔をおいて配置された複数のベアリングバーと、ベアリングバーの上面より下側で溝の幅方向に延びてベアリングバーを連結する複数の連結バーと、ベアリングバーの溝に沿って延びる方向の端部に設けられてベアリングバーの端部を連結するエンドプレートとを備え、ベアリングバーの端部には貫通孔が形成され、貫通孔にエンドプレートを嵌挿して固定したことを特徴とするグレーチングを提供するものである。このようなグレーチングにおいても、上記と同様の作用効果を得ることができる。
【図面の簡単な説明】
【０００９】
【図１】本発明の第１実施形態のグレーチングの斜視図である。
【図２】図１のグレーチングの溝に沿った方向の端部を示す一部拡大斜視図である。
【図３】（ａ）第１実施形態のグレーチングを連続して敷設した斜視図であり、（ｂ）従来のグレーチングを連続して敷設した斜視図である。
【図４】第２実施形態のグレーチングの溝に沿った方向の端部を示す一部拡大斜視図である。
【図５】従来のグレーチングの斜視図である。
【発明を実施するための形態】
【００１０】
以下に、本発明によるグレーチングの実施形態を図面を参照して説明する。
（第１実施形態）
図１及び図２に示すように、第１実施形態のグレーチング１０は、排水溝等の溝Ｄを覆うものであり、溝Ｄに沿って延びて溝Ｄの幅方向に互いに平行に所定間隔をおいて配置された複数のベアリングバー１１と、ベアリングバー１１の上面より下側で溝Ｄの幅方向に延びてベアリングバー１１を連結する複数の連結バー１２と、ベアリングバー１１の溝Ｄに沿って延びる方向の端部に設けられてベアリングバー１１の端部を連結するエンドプレート１３とを備え、ベアリングバー１１の溝Ｄに沿って延びる方向の両端部にはその上面より下側に切欠き部１１ｄが形成され、この切欠き部１１ｄにエンドプレート１３を固定した。以下に、このグレーチング１０について詳述する。
【００１１】
図１及び図２に示すように、ベアリングバー１１は、溝Ｄに沿う方向と直交するする方向の断面が上部の水平板部１１ａとこの水平板部１１ａの中心部から下方に延びる垂直板部１１ｂとからなるＴ字形をして溝Ｄに沿って延びる鋼板よりなる。これらベアリングバー１１は、水平板部１１ａが互いに溝Ｄの幅方向で隣り合うベアリングバー１１の水平板部１１ａと所定間隔をおいて互いに平行に配置されている。
【００１２】
各ベアリングバー１１の垂直板部１１ｂには貫通孔１１ｃが溝Ｄに沿って延びる方向に所定間隔をおいて６箇所に形成されており、各ベアリングバー１１の各貫通孔１１ｃには各ベアリングバー１１を溝Ｄの幅方向で連結する連結バー１２が挿通されて溶接により固着されている。連結バー１２は、複数のベアリングバー１１を一体に連結するものである。連結バー１２は、各ベアリングバー１１の垂直板部１１ｂに形成された貫通孔１１ｃに挿通されているので、ベアリングバー１１の上面となる水平板部１１ａより下側となっている。
【００１３】
各ベアリングバー１１の垂直板部１１ｂの溝Ｄに沿って延びる方向の両端部には切欠き部１１ｄが設けられており、各ベアリングバー１１の切欠き部１１ｄには各ベアリングバー１１の両端を保持する強度の高い鋼材よりなるエンドプレート１３が当接されて溶接により固着されている。エンドプレート１３は、各ベアリングバー１１の垂直板部１１ｂに形成された切欠き部１１ｄに固着されているので、ベアリングバー１１の上面となる水平板部１１ａより下側となっている。
【００１４】
上記のように構成したグレーチング１０においては、ベアリングバー１１の両端部には上面となる水平板部１１ａの下側の垂直板部１１ｂに切欠き部１１ｄが形成され、切欠き部１１ｄにエンドプレート１３を当接させて溶接により固着している。これにより、グレーチング１０の溝Ｄに沿った両端部の上面にはエンドプレート１３が現れることがないので、グレーチング１０の上面には溝Ｄに沿って延びるベアリングバー１１のみが現れることになる。よって、図３（ａ）に示すように、複数のグレーチング１０を溝Ｄに隙間なく連続して敷設したときに、互いに隣り合うグレーチング１０の各ベアリングバー１１がエンドプレート１３により途切れることなく繋がって連続したように見えるので、本発明に係るグレーチング１０を溝に隙間なく連続して敷設したものは、図３（ｂ）に示す従来のグレーチング２０を溝に隙間なく連続して敷設したものに比してその強度を低下させることなくすっきりとして見えて見栄えが良くなる。
【００１５】
また、グレーチング１０においては、ベアリングバー１１の端部にはその上面より下側に切欠き部１１ｄが形成され、切欠き部１１ｄにエンドプレート１３を当接して固着するようにしたので、グレーチング１０の上面には溝Ｄの幅方向に所定間隔をおいて配置された複数のベアリングバー１１だけとなり、溝Ｄの幅方向の一方側から溝Ｄに水が流入するときに各ベアリングバー１１の間の隙間から溝Ｄに落下するので、グレーチング１０の上面を流れて溝Ｄの幅方向の他方側に水が流入することがない。よって、このグレーチング１０を屋内と屋外との間の排水溝に敷設したときには、屋外で降った雨は排水溝の幅方向に所定間隔をおいて配置された各ベアリングバー１１の間の隙間から排水溝に流入することになり、エンドプレート１３をベアリングバー１１の両端部で上面となるように固定したものと比較して屋内に雨水が流入することがない。
【００１６】
さらに、グレーチング１０は、エンドプレート１３を無くすことなくグレーチング１０の上面にベアリングバー１１のみが現れるようにしたのでその強度が低下することがない。よって、連結バー１２を必要以上に多くしたり強度の高い素材を用いることがないので、コストが高くなることはない。
【００１７】
（第２実施形態）
図４に示すように、第２実施形態のグレーチング１０Ａは、排水溝等の溝Ｄを覆うものであり、溝Ｄに沿って延びて溝Ｄの幅方向に互いに平行に所定間隔をおいて配置された複数のベアリングバー１１と、ベアリングバー１１の上面より下側で溝Ｄの幅方向に延びてベアリングバー１１を連結する複数の連結バー１２と、ベアリングバー１１の溝Ｄに沿って延びる方向の端部に設けられてベアリングバー１１の端部を連結するエンドプレート１３とを備え、ベアリングバー１１の溝Ｄに沿って延びる方向の両端部にはその上面より下側に貫通孔１１Ａｄが形成され、この貫通孔１１Ａｄにエンドプレート１３Ａを嵌挿して固定したものである。
【００１８】
この第２実施形態のグレーチング１０Ａは、ベアリングバー１１の溝Ｄに沿って延びる方向の両端部にはその上面より下側に貫通孔１１Ａｄが形成され、この貫通孔１１Ａｄにエンドプレート１３Ａを嵌挿して溶接により固着したものである点が前述した第１実施形態のグレーチング１０と異なるのみである。このようなグレーチング１０Ａは、前述した第１実施形態と同様の作用効果を得ることができるので、詳細な説明は省略する。
【符号の説明】
【００１９】
１０，１０Ａ…グレーチング、１１…ベアリングバー、１１ｄ…切欠き部、１１Ａｄ…貫通孔、１２…連結バー、１３，１３Ａ…エンドプレート。
【図１】
2010180558.tif 000003
【図２】
2010180558.tif 000004
【図３】
2010180558.tif 000005
【図４】
2010180558.tif 000006
【図５】
2010180558.tif 000007